(57)【要約】  紙葉類格納装置および紙葉類取扱装置に関し、紙葉類の束を安定して繰出し可能とする。キャッシュカセット等の紙葉類格納装置において、変動荷重ゼンマイバネ８が、スライド板６の下に設置され、その一端はスライド板６の紙幣の束１００が繰り出される一端側の部分１２に固定される。他の一端は押し板７に組み付けられている樹脂製ガイド１０のスライド板６に嵌合するスライド板６の下部の固定部８ｄに固定される。紙葉類の束の紙葉類が繰出しローラ９により順次繰り出されて押し板７が繰出しローラ９に近づくに従って、変動荷重ゼンマイバネ８のゼンマイ部分が巻き取られてゆき、押し板７に対して、巻き取りの状態に応じて変動する荷重を繰出しローラ９の方向に付勢する。この結果、紙葉類が多い状態では押し板７が紙幣の束１００を大きな力で付勢し、少ない状態では小さな力で付勢し、紙葉類の束１００を安定して繰り出すことが可能となる。
2016135946.tif 000002
【特許請求の範囲】
【請求項１】
結束されていない立位状態の紙葉類の束が繰り出される方向に沿って設置されたスライド板と、
前記スライド板に嵌合して当該スライド板に沿って進退自在に移動可能であって、前記紙葉類の束の一端の紙葉類面を押して前記紙葉類の束を繰り出す押し板と、
前記スライド板下に設置され、一端が前記スライド板の前記紙葉類の束が繰り出される側に固定され、他の一端は前記押し板の前記スライド板に嵌合する部分に固定され、当該押し板が前記紙葉類の束が繰り出される位置に近づくに従って巻き取られてゆき、前記押し板に対して、巻き取りの状態に応じて変動する荷重を前記紙葉類の束が繰り出される方向に付勢する変動荷重ゼンマイバネと、
前記スライド板の前記紙葉類の束が繰り出される一端側に設置され、前記紙葉類の束が押しつけられて当該記紙葉類の束から前記紙葉類を１枚ずつ繰り出す繰出しローラと、
を備えることを特徴とする紙葉類格納装置。
【請求項２】
前記押し板は、当該押し板に組み付けられたガイドによって前記スライド板に嵌合し、当該ガイドの前記スライド板下部で前記変動荷重ゼンマイバネの一端を巻き取ることを特徴とする請求項１に記載の紙葉類格納装置。
【請求項３】
前記ガイドの前記スライド板の上端に接する部分にローラを備えることを特徴とする請求項２に記載の紙葉類格納装置。
【請求項４】
結束されていない立位状態の紙葉類の束が置かれ、当該紙葉類の束が所定の方向に繰り出される１枚または複数枚のテーブル板と、
前記テーブル板の前記紙葉類の束が繰り出される方向に設置された溝、または前記複数枚のテーブル板間の前記紙葉類の束が繰り出される方向に設置された間隙に嵌合し、当該溝または間隙に沿って進退自在に移動可能であって、前記紙葉類の束の一端の紙葉類面を押して前記紙葉類の束を繰り出す押し板と、
前記溝または間隙の下部に設置され、一端が前記スライド板の前記紙葉類の束が繰り出される一端側に固定され、他の一端は前記押し板の前記溝または間隙に嵌合する部分に固定され、当該押し板が前記紙葉類の束が繰り出される位置に近づくに従って巻き取られてゆき、前記押し板に対して、巻き取りの状態に応じて変動する荷重を前記紙葉類の束が繰り出される方向に付勢する変動荷重ゼンマイバネと、
前記溝または間隙の前記紙葉類の束が繰り出される一端側に設置され、前記紙葉類の束が押しつけられて当該紙葉類の束から前記紙葉類を１枚ずつ繰り出す繰出しローラと、
を備えることを特徴とする紙葉類格納装置。
【請求項５】
前記紙葉類は紙幣であることを特徴とする請求項１ないし４のいずれかに記載の紙葉類格納装置。
【請求項６】
請求項１ないし５のいずれかに記載の紙葉類格納装置と、
前記紙葉類格納装置から繰り出された紙葉類を判別する紙葉類判別装置と、
前記紙葉類判別装置で判別された紙葉類を外部に供給する紙葉類供給装置と、
を備えることを特徴とする紙葉類取扱装置。
【発明の詳細な説明】
【技術分野】
【０００１】
本発明は、紙葉類格納装置および紙葉類取扱装置に関する。
【背景技術】
【０００２】
紙葉類取扱装置、例えば紙幣出金機（ＢＤＵ：Ｂｉｌｌ  Ｄｉｓｐｅｎｓｅｒ  Ｕｎｉｔ）は、ＡＴＭ（Ａｕｔｏｍａｔｅｄ  Ｔｅｌｌｅｒ  Ｍａｃｈｉｎｅ：現金自動預け払い機）に内蔵される等、紙葉類を処理する装置として普及している。【０００３】
紙葉類取扱装置には、紙葉類を格納するためのスタッカまたはカセットである紙葉類格納装置が搭載される。この紙葉類格納装置においては、例えば紙葉類の種別（例えば紙幣の金種別）に設置され、種別ごとの紙葉類の束が立位状態で格納され、１枚ずつ繰り出される機能を備えている。【０００４】
このような機能を実現するためには、繰出し側にローラを備え、紙葉類の束を繰出し側と反対の側から繰出し側の方向に向かって付勢する構成が必要となる。このような構成を備える紙葉類格納装置の従来技術として、次のようなものが知られている。【０００５】
例えば、搬送方向に配置した複数のアイドルローラとこのアイドルローラの掛け回した無端ベルトからなる固定ガイドと、搬送路（搬送テーブル）をはさんで対応する位置に同様に構成された可動ガイドと、この可動ガイドを固定ガイド側に付勢する定荷重バネと、スライダ部及びガイド開閉機構部と、制御部とからなる構成により、紙葉束の厚さが変化した場合であっても、１０００枚紙葉束を搬送することができる紙葉束搬送装置が知られている（例えば特許文献１に記載の技術）。【０００６】
その他、一定荷重のバネによりカセット内部の紙幣を支える構造が知られている（例えば特許文献２または３に記載の技術）。
【先行技術文献】
【特許文献】
【０００７】
【特許文献１】特許第５３８３３３４号公報
【特許文献２】特開２００７−７９８４２号公報
【特許文献３】特開２０１４−２１８３５３号公報
【発明の概要】
【発明が解決しようとする課題】
【０００８】
紙葉類格納装置において、結束されていない紙葉類の束を１枚ずつ繰り出すためには、紙葉類の束が大量に格納装置内に滞留しているときには、紙葉類の束を大きな力で繰出し方向に付勢する必要がある。一方、紙葉類の束が少量しか格納装置内に滞留していないときには、紙葉類の束を付勢する力を弱くしないと、紙葉類または紙葉類の束が詰まってしまったり、複数枚の紙葉類が繰り出されてしまったりする場合がある。しかし、上述した従来技術はいずれも、一定荷重の付勢力で紙葉類の束を押し出す構成を有しており、このような場合に対処することができないという課題があった。【０００９】
そこで、本発明の一つの側面では、紙葉類の束を安定して繰出し可能とすることを目的とする。
【課題を解決するための手段】
【００１０】
態様の一例は、結束されていない立位状態の紙葉類の束が繰り出される方向に沿って設置されたスライド板と、スライド板に嵌合してそのスライド板に沿って進退自在に移動可能であって、紙葉類の束の一端の紙葉類面を押して紙葉類の束を繰り出す押し板と、スライド板下に設置され、一端がスライド板の紙葉類の束が繰り出される一端側に固定される。他の一端は押し板のスライド板に嵌合する固定部に固定され、その押し板が紙葉類の束が繰り出される位置に近づくに従って巻き取られてゆき、押し板に対して、巻き取りの状態に応じて変動する荷重を紙葉類の束が繰り出される方向に付勢する変動荷重ゼンマイバネと、スライド板の紙葉類の束が繰り出される一端側に設置され、紙葉類の束が押しつけられてその紙葉類の束から紙葉類を１枚ずつ繰り出す繰出しローラと、を備える。
【発明の効果】
【００１１】
紙葉類の束を安定して繰り出すことが可能となる。
【図面の簡単な説明】
【００１２】
【図１】実施形態である紙幣出金機の構成例を示す側面断面図である。
【図２】キャッシュカセットの筐体内の構成例を示す斜視図である。
【図３】押し板の付近の詳細構成例を示す斜視図である。
【図４】実施形態の説明図（その１）である。
【図５】実施形態の説明図（その２）である。
【図６】変動荷重ゼンマイバネのバネ特性グラフを示す図である。
【発明を実施するための形態】
【００１３】
以下、本発明を実施するための形態（以下、「本実施形態」）について図面を参照しながら詳細に説明する。図１は、本実施形態である紙幣出金機（ＢＤＵ）の構成例を示す側面断面図である。この紙幣出金機は、例えばＡＴＭに搭載されるものである。
【００１４】
図１に示す紙幣出金機１は、ＢＶ（Ｂｉｌｌ  Ｖａｌｉｄａｔｏｒ：紙幣鑑別機）３を有する。ここでいうＢＶとは、紙幣の厚みや長さで判定する簡易的な構成も含む。
【００１５】
紙幣出金機１において、例えば、４台のキャッシュカセット４（＃１〜＃４）は、それぞれ着脱可能に構成され、外部から紙幣の束を装填することができる。例えば、キャッシュカセット４（＃１）は一万円札を収納し、キャッシュカセット４（＃２）は五千円札を収納し、キャッシュカセット４（＃３）は千円札を収納し、キャッシュカセット４（＃４）は予備である。
【００１６】
紙幣出金機１において、紙幣の出金時には、キャッシュカセット４（＃１〜＃４）に収納されている紙幣は、出金搬送路５を通ってＢＶ３に搬送され、ＢＶ３によって鑑別される。金種及び記番号が判別できて鑑別結果が「ＯＫ」となった紙幣は、ＢＶ３から排出後、出金口２へ搬送されて出金される。一方で、出金時に鑑別結果が「ＮＧ」となった紙幣は、紙幣出金機１内の所定のリジェクトボックス（図示せず）に搬送されて収納される。
【００１７】
図２は、図１のキャッシュカセット４（＃１〜＃４）の筐体内の共通の構成例を示す斜視図である。
【００１８】
スライド板６は、結束されていない立位状態の紙幣の束１００が繰り出される方向１０１に沿って設置される。
【００１９】
押し板７は、スライド板６に嵌合して、スライド板６に沿って進退自在に移動可能であって、紙幣の束１００の一端の紙幣面を押して紙幣の束１００から１枚ずつ繰り出す。
【００２０】
変動荷重ゼンマイバネ８は、スライド板６の下に設置され、一端がスライド板６の紙幣の束１００が繰り出される側に固定される。他の一端は押し板７のスライド板６に嵌合する固定部８ｄ（不図示）に固定される。
【００２１】
繰出しローラ９は、スライド板６の紙幣の束１００が繰り出される一端側に設置され、紙幣の束１００が押しつけられて紙幣の束１００から紙葉類を１枚ずつ繰り出す。
【００２２】
図３は、図２の押し板７の付近の詳細構成例を示す斜視図であり、図３（ａ）は図２のスライド板６の下側から見た斜視図、図３（ｂ）は図２のスライド板６の上側から見た斜視図である。
【００２３】
図３（ｂ）に示されるように、押し板７には、樹脂製のガイド１０が組み付けられている。押し板７は、このガイド１０によって、スライド板６に沿って進退自由にスライド板６に嵌合する。
【００２４】
図３（ａ）に示されるように、スライド板６に嵌合するガイド１０のスライド板６下部には変動荷重ゼンマイバネ８の一端が固定部８ｄ（不図示）に固定される。また、押し板７の移動に応じて、スライド板６下部の繰出しローラ９側から伸びている変動荷重ゼンマイバネ８が固定部８ｄに巻き取られる。
【００２５】
図３（ｂ）に示されるように、ガイド１０のスライド板６の上端に接する部分には、ガイド１０および押し板７がスライド板６上で平滑に移動できるようにするためのローラ１１が備えられる。
【００２６】
上述の構成を有する本実施形態の動作について、図４から図６の説明図に従って、以下に説明する。
【００２７】
図４および図５は、図２および図３のキャッシュカセット４の側面断面図である。図４は紙幣の束１００の紙幣が多い状態を示している。図５は紙幣の束１００の紙幣が少ない状態を示している。
【００２８】
前述したように、変動荷重ゼンマイバネ８は、スライド板６の下に設置され、その一端は、図４または図５に示されるように、スライド板６の紙幣の束１００が繰り出される側の部分１２に固定される。他の一端は押し板７に組み付けられているガイド１０のスライド板６に嵌合するスライド板６の下部の固定部８ｄに固定されて巻き取られる。
【００２９】
ここで、図４に示されるように、紙幣の束１００の紙幣が多い状態では、押し板７は紙幣の束１００によって繰出しローラ９側から遠ざかるため、変動荷重ゼンマイバネ８の伸長部分８bが長くなり、変動荷重ゼンマイバネ８のゼンマイ部分８ａの巻き取り量は少なくなる。この結果、変動荷重ゼンマイバネ８の長くなった伸長部８ｂによって、ガイド１０から押し板７にかかる繰出しローラ９方向への荷重は大きくなり、紙幣の束１００は強い力で繰出しローラ９側に付勢される。故に、紙幣が多い状態では、大きな紙幣の束１００が、押し板７が押す十分な力によって繰出しローラ９側に付勢されることになる。
【００３０】
逆に、図５に示されるように、紙幣の束１００の紙幣が少ない状態では、押し板７は繰出しローラ９側に近づくため、変動荷重ゼンマイバネ８の伸長部分８ｃが短くなり、変動荷重ゼンマイバネ８のゼンマイ部分の巻き取り量は多くなる。この結果、変動荷重ゼンマイバネ８の短くなった伸長部８ｃによって、ガイド１０から押し板７にかかる繰出しローラ９方向への荷重は小さくなり、紙幣の束１００は小さい力で繰出しローラ９側に付勢される。故に、紙幣が少ない状態では、押し板７が押す力によって紙幣が詰まることを回避できる。
【００３１】
図６は、変動荷重ゼンマイバネ８のバネ長さ（伸長部分の長さ）に対する荷重を示すバネ特性グラフを示す図である。このグラフからわかるように、バネ長さに応じて荷重が変動する。従って、適切なバネの特性を選択することで、押し板７が紙幣の束１００に付勢する力を、紙幣の束１００の紙幣の量に応じて常に適切な力に制御することが可能となる。
【００３２】
以上説明した実施形態において、変動荷重ゼンマイバネ８のゼンマイ部分８ａは、押し板７側に配置されたが、繰出しローラ９側（例えば図４の部分１２）に配置してもよい。
【００３３】
また、上述の実施形態は、紙幣を対象とした紙幣出金機のキャッシュカセットに関するものであるが、紙幣の入出金が行われる例えば紙幣リサイクルユニット（ＢＲＵ：Ｂｉｌｌ  Ｒｅｃｙｃｌｅ  Ｕｎｉｔ）のスタッカなどに対しても、同様の構成を適用することが可能である。この場合には、特には図示しないが、例えば図２の構成に相当するスタッカにおいて、紙幣を外部から繰り入れる機構が追加される。
【００３４】
また、紙幣ではなく、例えば有価証券やチケット等の他の紙葉類に関して本発明を実施することも可能である。
【００３５】
さらに、スライド板ではなく、紙葉類の束が１枚または複数枚のテーブル板上に置かれ、そのテーブル板の紙葉類の束が繰り出される方向に設置された溝、または複数枚のテーブル板間の紙葉類の束が繰り出される方向に設置された間隙に、押し板またはそれに組み付けられたガイドが嵌合され、その溝または間隙の下部に変動荷重ゼンマイバネが設置されてもよい。
【００３６】
以上説明した実施形態およびその変形例により、紙葉類の束を安定して繰り出すことが可能となる。
【符号の説明】
【００３７】
１  紙幣出金機
２  出金口
３  ＢＶ（Ｂｉｌｌ  Ｖａｌｉｄａｔｏｒ：紙幣鑑別機）
４  キャッシュカセット
５  出金搬送路
６  スライド板
７  押し板
８  変動荷重ゼンマイバネ
８ａ  ゼンマイ部分
８ｂ  伸長部分（長）
８ｃ  伸長部分（短）
８ｄ  固定部
９  繰出しローラ
１０  ガイド
１１  ローラ
１００  紙幣の束
【図１】
2016135946.tif 000003
【図２】
2016135946.tif 000004
【図３】
2016135946.tif 000005
【図４】
2016135946.tif 000006
【図５】
2016135946.tif 000007
【図６】
2016135946.tif 000008
【国際調査報告】
2016135946.tif 000009
2016135946.tif 000010
2016135946.tif 000011
2016135946.tif 000012